(57)【要約】【課題】露光位置調整用のモータの振動による折返しミラーの安定性を確保し、ひいてはレジスト性能の劣化を効果的に防止できる光走査光学装置を得る。【解決手段】タンデム方式の電子写真法によるカラープリンタに搭載される光走査光学装置。各感光体ドラム上を走査する光束の折返しミラー３５Ｙ，３５Ｍ，３６Ｃなどは、ハウジング２７において、スキュー調整用モータ５１が配置されている側の一端部が突起２８ａ，２８ｂにて２点支持され、他端部が突起２８ｃにて１点支持されている。【選択図】図５
2008139344.tif 000002
【特許請求の範囲】
【請求項１】
複数の光源と、該光源から放射される各光束を同一面で偏向する偏向器と、該偏向器で偏向された各光束を感光体上に結像させる結像素子と、前記光束をそれぞれに対応する前記感光体上に導くミラーと、これらの各部材を保持するハウジングと、前記光束が前記感光体上を露光する位置を調整するためのモータと、を備え、
前記モータは前記感光体の配列方向に複数配置されており、
前記ミラーの少なくとも一つは、前記複数のモータが配置されている側の一端部において２点で支持され、他端部において１点で支持されていること、
を特徴とする光走査光学装置。
【請求項２】
前記モータは感光体上を露光する走査線の傾きを調整するためのものであることを特徴とする請求項１に記載の光走査光学装置。
【請求項３】
前記少なくとも一つのミラーは前記複数のモータの取付け面よりも高い位置に配置されているミラーであり、その一端部において前記ハウジングの側面部で２点支持されていることを特徴とする請求項１又は請求項２に記載の光走査光学装置。
【発明の詳細な説明】
【技術分野】
【０００１】
本発明は、光走査光学装置、特に、電子写真法によるタンデム方式の画像形成装置にプリントヘッドとして搭載される光走査光学装置に関する。
【背景技術】
【０００２】
電子写真法によるタンデム方式のプリンタや複写機などの画像形成装置においては、色の３原色（Ｙ，Ｍ，Ｃ）と黒色（Ｋ）の画像を平行に配置された四つの感光体上に形成し、各画像を中間転写ベルト上に１次転写して合成し、さらに記録材上に２次転写するようにしている。この場合、色ずれを防止するために、四つの画像が中間転写ベルト上で精度よく合成されるように位置合わせを高精度に調整する必要がある。
【０００３】
色ずれの調整の項目は、図９に示すように（白丸は設計上の露光位置、黒丸はずれた露光位置をそれぞれ示す）、主走査印字開始位置、全体倍率、部分倍率、主走査高次位置ずれ、副走査印字開始位置、スキュー（走査線傾き）、ボウ（走査線湾曲）、副走査高次位置ずれ、を挙げることができる。
【０００４】
このうち、スキューの調整に関しては、特許文献１，２に記載のように、ポリゴンミラーで偏向された各光束の光路を折り曲げるミラーの主走査方向の傾きをモータにて補正する機構が記載されている。しかしながら、モータを駆動してスキュー補正を行う場合、モータの振動が各種光学素子に伝播し、各色の画像にピッチむらやジッタが発生してレジスト性能が劣化するおそれを有している。
【０００５】
特に、折返しミラーは、通常、安定性のために３点で支持されているが、この折返しミラーは前記スキュー調整用モータの近くに配置されるため、振動から保護されることが必要となる。
【特許文献１】特開平９−２６９４５５号公報
【特許文献２】特開２００２−２８３６１９号公報
【発明の開示】
【発明が解決しようとする課題】
【０００６】
そこで、本発明の目的は、露光位置調整用モータの振動による折返しミラーの安定性を確保し、ひいてはレジスト性能の劣化を効果的に防止できる光走査光学装置を提供することにある。
【課題を解決するための手段】
【０００７】
以上の目的を達成するため、本発明に係る光走査光学装置は、
複数の光源と、該光源から放射される各光束を同一面で偏向する偏向器と、該偏向器で偏向された各光束を感光体上に結像させる結像素子と、前記光束をそれぞれに対応する前記感光体上に導くミラーと、これらの各部材を保持するハウジングと、前記光束が前記感光体上を露光する位置を調整するためのモータと、を備え、
前記モータは前記感光体の配列方向に複数配置されており、
前記ミラーの少なくとも一つは、前記複数のモータが配置されている側の一端部において２点で支持され、他端部において１点で支持されていること、
を特徴とする。
【０００８】
本発明に係る光走査光学装置において、光束をそれぞれに対応する感光体上に導くミラーは安定性よく３点で支持され、かつ、該ミラーの少なくとも一つは、露光位置調整用モータが配置されている側の一端部において２点で支持されているため、該モータから伝播される振動に対してあおられることなく安定した支持が確保される。それゆえ、露光位置調整用モータの振動が伝播されても４色の各画像のピッチむらやジッタを所定の許容量に抑えることができ、レジスト性能の劣化を抑えることができる。
【０００９】
露光位置調整用モータは、例えば、感光体上を露光する走査線の傾き（スキュー）を調整するためのものである。
【００１０】
ハウジングの高い位置に取り付けられているミラーほど前記モータからの振動の影響を受けやすい。従って、モータの取付け面よりも高い位置に配置されているミラーは、その一端部においてハウジングの側面部で２点支持されていることが好ましい。
【発明を実施するための最良の形態】
【００１１】
以下、本発明に係る光走査光学装置の実施例について、添付図面を参照して説明する。
【００１２】
（画像形成装置の全体構成、図１参照）
図１に、本発明に係る光走査光学装置を搭載したカラープリンタ１の概略構成を示す。このカラープリンタ１は、タンデム方式で４色の画像を合成するように構成されている。即ち、四つの画像形成ステーション２（２Ｙ，２Ｍ，２Ｃ，２Ｋ）の直上に中間転写ベルト１０が配置され、直下に光走査光学装置２０が配置されている。各画像形成ステーション２には、それぞれ、感光体ドラム３（３Ｙ，３Ｍ，３Ｃ，３Ｋ）、現像器４（４Ｙ，４Ｍ，４Ｃ，４Ｋ）や図示しない帯電器、残留トナーのクリーナなどが配置されている。なお、黒色の画像を形成するための画像形成ステーション２Ｋは大型に構成され、使用頻度の高いモノクロ画像を高速で形成できるようにしている。
【００１３】
光走査光学装置２０は、Ｙ，Ｍ，Ｃ，Ｋの画像データに基づいて放射される光束Ｂｙ，Ｂｍ，Ｂｃ，Ｂｋによって各感光体ドラム３上に画像（静電潜像）を形成する。この潜像はトナーによって可視像化される。このような電子写真プロセスは周知であり、その説明は省略する。
【００１４】
中間転写ベルト１０は、駆動ローラ１１及び支持ローラ１２に無端状に張り渡され、矢印Ｙ方向への回転に基づいて前記各感光体ドラム３上に形成された各色のトナー画像が順次１次転写され、合成される。また、中間転写ベルト１０上に形成された画像（調整用トナーパターン）を読み取るため、黒色の画像形成ステーション２Ｋの直後に光学センサ７１が配置されている。
【００１５】
記録材は、自動給紙カセット５に収納されており、１枚ずつ所定のタイミングで給紙され、通紙経路６を経由して中間転写ベルト１０から２次転写位置１３にて合成トナー画像を２次転写され、定着装置１５でトナーの加熱定着を施された後、排出ローラ１６から排紙部９上に排出される。一方、両面プリントの際、記録材はスイッチバックローラ１７からプリンタ１の外方に搬送され、スイッチバックされて反転経路７を経由して２次転写位置１３に戻される。ここで裏面にトナー画像を２次転写された記録材は排出ローラ１６から排紙部９上に排出されることになる。
【００１６】
（光走査光学装置の概略構成、図２〜図４参照）
図２は一実施例である光走査光学装置２０の断面図、図３は平面図、図４は底面図である。この光走査光学装置２０は、光源部２１と、ポリゴンミラー４０と第１及び第２結像レンズ３１，３２と、各光路ごとに設けた折返しミラー３４，３５，３６及び第３結像レンズ３３と、これらの部材を保持するハウジング２７とで構成されている。光源部２１は、レーザダイオード２２（２２Ｙ，２２Ｍ，２２Ｃ，２２Ｋ）と、合成ミラー２３（２３Ｙ，２３Ｍ，２３Ｃ）と、折返しミラー２４と、シリンドリカルレンズ２５とで構成され、プレート２６に搭載されている。
【００１７】
レーザダイオード２２Ｋから放射された光束は折返しミラー２４に直接導かれる。また、レーザダイオード２２Ｃ，２２Ｍ，２２Ｙからそれぞれ放射された光束は、合成ミラー２３Ｃ，２３Ｍ，２３Ｙでそれぞれ反射し、折返しミラー２４に導かれる。折返しミラー２４で反射された各光束はシリンドリカルレンズ２５で副走査方向Ｚ（図２参照）にほぼ平行に集光され、ポリゴンミラー４０の同一面に副走査方向Ｚに所定の角度を有して導かれる。
【００１８】
これらの光束はポリゴンミラー４０の回転に基づいて主走査方向Ｘに等角速度で偏向され、第１及び第２結像レンズ３１，３２を透過した後、光束Ｂｋは第３結像レンズ３３Ｋを透過して折返しミラー３４Ｋで反射され、感光体ドラム３Ｋ上を露光／走査する。光束Ｂｃは折返しミラー３４Ｃ，３５Ｃで反射されて第３結像レンズ３３Ｃを透過し、さらに折返しミラー３６Ｃで反射され、感光体ドラム３Ｃ上を露光／走査する。光束Ｂｍは折返しミラー３４Ｍで反射されて第３結像レンズ３３Ｍを透過し、さらに折返しミラー３５Ｍで反射され、感光体ドラム３Ｍ上を露光／走査する。光束Ｂｙは折返しミラー３４Ｙで反射されて第３結像レンズ３３Ｙを透過し、さらに折返しミラー３５Ｙで反射され、感光体ドラム３Ｙ上を露光／走査する。
【００１９】
ポリゴンミラー４０は、図２に示すように、プレート４４に固定したモータ４２に取り付けられている。プレート４４にはさらに基板４１及び放熱板４３が取り付けられている。
【００２０】
また、各感光体ドラム３上での各走査線の書出し位置を検出するため、即ち、主走査同期信号を得るため、ポリゴンミラー４０で偏向された光束Ｂｋの主走査方向上流側光束は、図３に示すように、検出用ミラー３７で反射されてレンズ３８で集光され、同期信号検出用受光センサ３９に入射する。
【００２１】
さらに、色ずれ調整（レジスト調整）として、図３に示すように、部分倍率調整機構４５とスキュー調整機構５０が設置されている。スキュー調整機構５０は駆動源としてブラケット５９を介してハウジング２７に固定されたステッピングモータ５１を備え、その詳細は図７及び図８を参照して後述する。なお、部分倍率調整機構４５の説明は省略する。
【００２２】
ところで、スキュー調整用モータ５１は、ハウジング２７の一方の側に各感光体ドラム３の配列方向（図３の矢印Ｂ参照）に配置されている。また、ハウジング２７はカラープリンタ１の図示しないフレームに、３箇所の固定点Ｚ１，Ｚ２，Ｚ３により、例えば、ねじ止めにより固定されている。
【００２３】
（色ずれ調整、図９及び図１０参照）
色ずれ（レジスト）調整は、各画像形成ステーション２にて図１０に示すトナーパターンＰｙ，Ｐｍ，Ｐｃ，Ｐｋを形成して中間転写ベルト１０上に１次転写し、このトナーパターンＰｙ〜Ｐｋを光学センサ７１にて検出することにより、図９に示した各調整項目の全てあるいはその一部の項目を調整する。
【００２４】
（折返しミラーの支持構成、図５及び図６参照）
折返しミラー３４Ｋ，３４Ｍ，３４Ｙ，３４Ｃ，３５Ｃ，３６Ｃ，３５Ｍ，３５Ｙは、それぞれ、ハウジング２７の両側部で３点で支持されて固定されている。図５には、折返しミラー３５Ｙ，３５Ｍ，３６Ｃの３点支持の構成が概略的に示され（他の折返しミラーについても図５では図示しないが同様である）、スキュー調整用モータ５１が配置されている側の一端部において頭部が半球状の二つの突起２８ａ，２８ｂにて２点で支持され、他端部において頭部が半球状の突起２８ｃにて１点で支持されている。
【００２５】
詳しくは、図６にミラー３５Ｍを拡大して示すように、各折返しミラーは両端部においてハウジング２７の側面部に板ばね２９にて弾性的に押圧保持されている。また、各折返しミラーの下端面はハウジング２７の側面部に設けた突起２８ｄにて受けられている。
【００２６】
本光走査光学装置２０において、色ずれ調整は、例えば、プリンタ１を立ち上げたときを含めて、連続的に搬送される先行する記録材の後端と後続の記録材の先端が２次転写位置１３を通過する間でも行われる。スキューが発生していれば、モータ５１を駆動して第３レンズ３３を変位させ、スキューを調整する。このときモータ５１を駆動した際の振動が折返しミラーにも伝播し、折返しミラーが変位して画像にピッチむらやジッタが発生してレジスト性能が劣化するおそれがある。
【００２７】
本実施例において、各折返しミラーは突起２８ａ，２８ｂ，２８ｃにてハウジング２７に３点支持されているため、安定性が良好であり、かつ、振動源となるスキュー調整用モータ５１に近い一端側は突起２８ａ，２８ｂにて２点で支持されているため、振動であおり現象などが発生することはなく、安定性が良好である。従って、モータ５１の振動が伝播されても、画像のピッチむらやジッタが所定の許容量以下となり、レジスト性能の劣化を抑えることができる。
【００２８】
なお、全ての折返しミラーがモータ５１に近い一端部で２点支持されている必要はない。しかし、ハウジング２７の高い位置に取り付けられている折返しミラー３５Ｙ，３５Ｍ，３６Ｃほどモータ５１からの振動の影響を受けやすい。従って、このように高い位置に取り付けられている折返しミラーにとっては、モータ５１に近い一端部で２点支持されていることは極めて効果的である。
【００２９】
（スキュー調整機構、図７及び図８参照）
走査線の傾き（スキュー）の調整は、光束Ｂｋを基準として光束Ｂｃ，Ｂｍ，Ｂｙに対して行われる。従って、図７に示すスキュー調整機構５０は光束Ｂｋに対して配置された第３レンズ３３Ｋに対しては設置されておらず、光束Ｂｃ，Ｂｍ，Ｂｙに対して配置された第３レンズ３３Ｃ，３３Ｍ，３３Ｙに対して設置されている。なお、光束Ｂｋに対してもスキュー調整を行うようにしてもよいことは勿論である。
【００３０】
詳しくは、第３レンズ３３は、図８に示すように、レンズホルダ５２に保持され、このレンズホルダ５２は一端部で矢印Ｆ方向に揺動可能にピン５３にて支持されている。さらに、レンズホルダ５２の他端部には受け部材５８が固定され、図７に示すように、この受け部材５８はハウジング２７の傾斜面２７ｇに板ばね５４にて押圧され、かつ、矢印Ｆ方向にスライド自在に取り付けられている。ステッピングモータ５１の出力軸５１ａに固定したウォームギヤ５５はウォームホイール５６に噛合し、該ウォームホイール５６と同軸に固定した偏芯カム５７の外周面が受け部材５８の底面に当接している。
【００３１】
ステッピングモータ５１は、図１０に示したトナーパターンＰｙ〜Ｐｋから検出されたスキューの状態に応じてその回転を制御され、ウォームギヤ５５の回転がウォームホイール５６から偏芯カム５７に伝達され、偏芯カム５７の外周面が受け部材５８を押上げることでホルダ５２とともに第３レンズ３３を変位させてスキューを調整する。また、ホルダ５２は図示しないばね部材により下方へ強制的に復帰するように付勢されている。
【００３２】
（他の実施例）
なお、本発明に係る光走査光学装置は前記実施例に限定するものではなく、その要旨の範囲内で種々に変更することができる。
【００３３】
特に、ハウジングの細部の構成、光源部の構成の詳細、四つの光路を形成する各種光学素子の構成や配置は任意である。また、スキュー調整は、第３レンズを変位させる以外に、折返しミラーなどを変位させることで行うようにしてもよい。
【図面の簡単な説明】
【００３４】
【図１】本発明に係る光走査光学装置を備えたカラープリンタを示す概略構成図である。
【図２】光走査光学装置を示す断面図である。
【図３】光走査光学装置を示す平面図である。
【図４】光走査光学装置を示す底面図である。
【図５】光走査光学装置において折返しミラーの支持構造を模式的に示し、（Ａ）は平面図、（Ｂ）は断面図である。
【図６】光走査光学装置において折返しミラーの支持構造を示す断面図である。
【図７】スキュー調整機構を示す斜視図である。
【図８】第３レンズの保持部を示す斜視図である。
【図９】色ずれの種類を示す説明図である。
【図１０】色ずれ調整のためのトナーパターンを示す説明図である。
【符号の説明】
【００３５】
３（３Ｙ，３Ｍ，３Ｃ，３Ｋ）…感光体ドラム
２０…光走査光学装置
２１…光源部
２７…ハウジング
２８ａ，２８ｂ，２８ｃ…ミラー支持用突起
３１，３２，３３…結像レンズ
３４，３５，３６…折返しミラー
４０…ポリゴンミラー
５１…スキュー調整用モータ
【図１】
2008139344.tif 000003
【図２】
2008139344.tif 000004
【図３】
2008139344.tif 000005
【図４】
2008139344.tif 000006
【図５】
2008139344.tif 000007
【図６】
2008139344.tif 000008
【図７】
2008139344.tif 000009
【図８】
2008139344.tif 000010
【図９】
2008139344.tif 000011
【図１０】
2008139344.tif 000012